(57)【要約】【課題】本開示は、ＶＣＯ回路のフリーラン周波数の温度変化又は経時変化に関わらず、ＰＬＬ回路への入力信号の周波数の偏差に関わらず、ＰＬＬ回路の同期引き込み範囲を狭くしないとともに、ＰＬＬ回路の同期引き込み時間を短くすることを目的とする。【解決手段】本開示は、ＰＬＬ回路１への入力信号の周波数を計測する入力周波数計測部２３と、ＰＬＬ回路１への入力信号が入力されているときに、ＶＣＯ回路１４の実際のフリーラン周波数が、ＰＬＬ回路１への入力信号の周波数に近づくように、ＶＣＯ回路１４の所定のフリーラン周波数と、ＰＬＬ回路１への入力信号の周波数と、の間の差分に基づいて、ＶＣＯ回路１４をフィードフォーワード制御する入力周波数追従部２４と、を備えることを特徴とするＶＣＯ制御回路２である。【選択図】図３
2020053736.tif 000002
【特許請求の範囲】
【請求項１】
ＰＬＬ回路への入力信号の周波数を計測する入力周波数計測部と、
前記ＰＬＬ回路への入力信号が入力されているときに、ＶＣＯ回路の実際のフリーラン周波数が、前記ＰＬＬ回路への入力信号の周波数に近づくように、前記ＶＣＯ回路の所定のフリーラン周波数と、前記ＰＬＬ回路への入力信号の周波数と、の間の差分に基づいて、前記ＶＣＯ回路をフィードフォーワード制御する入力周波数追従部と、
を備えることを特徴とするＶＣＯ制御回路。
【請求項２】
前記ＶＣＯ回路の実際のフリーラン周波数を計測するフリーラン周波数計測部と、
前記ＰＬＬ回路への入力信号が入力されていないときに、前記ＶＣＯ回路の実際のフリーラン周波数が、前記ＶＣＯ回路の所定のフリーラン周波数に近づくように、前記ＶＣＯ回路の実際のフリーラン周波数と、前記ＶＣＯ回路の所定のフリーラン周波数と、の間の差分に基づいて、前記ＶＣＯ回路をフィードバック制御するフリーラン周波数補正部と、
をさらに備えることを特徴とする、請求項１に記載のＶＣＯ制御回路。
【請求項３】
まず、前記フリーラン周波数補正部が、前記ＶＣＯ回路をフィードバック制御し、次に、前記入力周波数追従部が、前記ＶＣＯ回路をフィードフォーワード制御し、次に、前記ＰＬＬ回路において、前記ＶＣＯ回路をフィードバック制御する
ことを特徴とする、請求項２に記載のＶＣＯ制御回路。
【請求項４】
請求項１から３のいずれかに記載のＶＣＯ制御回路と、前記ＰＬＬ回路と、
を備えることを特徴とするＰＬＬシステム。
【請求項５】
ＰＬＬ回路への入力信号の周波数を計測する入力周波数計測ステップと、
前記ＰＬＬ回路への入力信号が入力されているときに、ＶＣＯ回路の実際のフリーラン周波数が、前記ＰＬＬ回路への入力信号の周波数に近づくように、前記ＶＣＯ回路の所定のフリーラン周波数と、前記ＰＬＬ回路への入力信号の周波数と、の間の差分に基づいて、前記ＶＣＯ回路をフィードフォーワード制御する入力周波数追従ステップと、
を順にコンピュータに実行させるためのＶＣＯ制御プログラム。
【発明の詳細な説明】
【技術分野】
【０００１】
本開示は、ＶＣＯ回路のフリーラン周波数の温度変化又は経時変化に関わらず、ＰＬＬ回路への入力信号の周波数の偏差に関わらず、ＰＬＬ回路の同期引き込み範囲を狭くしないとともに、ＰＬＬ回路の同期引き込み時間を短くする技術に関する。
【背景技術】
【０００２】
ＰＬＬ回路は、同期検波型復調回路等に適用されている。ＶＣＯ回路の出力信号の周波数及び位相が、ＰＬＬ回路の入力信号の周波数及び位相に同期するように、ＶＣＯ回路をフィードバック制御したうえで、ＶＣＯ回路の出力信号をクロック信号として、復調回路の入力信号を同期検波している（例えば、特許文献１等を参照。）。
【先行技術文献】
【特許文献】
【０００３】
【特許文献１】特開平０６−２１６７６９号公報
【発明の概要】
【発明が解決しようとする課題】
【０００４】
従来技術のＰＬＬシステムの解決課題を図１に示す。ＰＬＬ回路への入力信号の周波数範囲は、ＰＬＬ回路への入力信号の中心周波数の周りに、ｆＩＮ１以上ｆＩＮ２以下とする。
【０００５】
図１の上段において、ＶＣＯ回路の制御電圧−出力周波数の特性直線が温度変化又は経時変化する前には、ＶＣＯ回路のフリーラン周波数ｆＦＲは、ＰＬＬ回路への入力信号の中心周波数に設定されている。そして、ＰＬＬ回路の同期引き込み範囲は、ＰＬＬ回路内の位相比較部に応じて制限されており、ＶＣＯ回路のフリーラン周波数ｆＦＲの周りに、ｆＰＩ１以上ｆＰＩ２以下とする。ここで、ｆＰＩ１はｆＩＮ１より小さく、ｆＰＩ２はｆＩＮ２より大きい。よって、ＰＬＬ回路の同期引き込み範囲は、ＰＬＬ回路への入力信号の周波数範囲ｆＩＮ１以上ｆＩＮ２以下を含む。
【０００６】
図１の中段において、ＶＣＯ回路の制御電圧−出力周波数の特性直線が温度変化又は経時変化した後には、ＶＣＯ回路のフリーラン周波数ｆＦＲ’は、ＰＬＬ回路への入力信号の中心周波数から外れている。そして、ＰＬＬ回路の同期引き込み範囲は、ＰＬＬ回路内の位相比較部に応じて制限されており、ＶＣＯ回路のフリーラン周波数ｆＦＲ’の周りに、ｆＰＩ１’以上ｆＰＩ２’以下とする。ここで、ｆＰＩ１’はｆＩＮ１より小さく、ｆＰＩ２’はｆＩＮ１より大きくｆＩＮ２より小さい。よって、ＰＬＬ回路の同期引き込み範囲は、ＰＬＬ回路への入力信号の周波数範囲ｆＰＩ２’以上ｆＩＮ２以下を含まなくなり、ＶＣＯ回路のフリーラン周波数ｆＦＲ’によっては、ＰＬＬ回路への入力信号の中心周波数を含まなくなる。
【０００７】
図１の下段において、ＰＬＬ回路への入力信号が入力されるときに、ＶＣＯ回路のフリーラン周波数ｆＦＲ’は、ＰＬＬ回路への入力信号の中心周波数から外れている。すると、ＰＬＬ回路の同期引き込み時間は、ＶＣＯ特性変化後には、ＶＣＯ特性変化前より、ＰＬＬ回路への入力信号の周波数ｆＩＮによっては、長くなる。
【０００８】
そこで、前記課題を解決するために、本開示は、ＶＣＯ回路のフリーラン周波数の温度変化又は経時変化に関わらず、ＰＬＬ回路への入力信号の周波数の偏差に関わらず、ＰＬＬ回路の同期引き込み範囲を狭くしないとともに、ＰＬＬ回路の同期引き込み時間を短くすることを目的とする。
【課題を解決するための手段】
【０００９】
前記課題を解決するために、ＶＣＯ回路の実際のフリーラン周波数が、ＰＬＬ回路への入力信号の周波数に短時間で近づくように、ＶＣＯ回路をフィードフォーワード制御することとした。ここで、ＶＣＯ回路の実際のフリーラン周波数が、ＶＣＯ回路の所定のフリーラン周波数（ＰＬＬ回路への入力信号の中心周波数）と等しいと仮定する。
【００１０】
よって、ＶＣＯ回路の実際のフリーラン周波数が、ＶＣＯ回路の所定のフリーラン周波数（ＰＬＬ回路への入力信号の中心周波数）と等しい必要がある。そこで、ＶＣＯ回路の実際のフリーラン周波数が、ＶＣＯ回路の所定のフリーラン周波数（ＰＬＬ回路への入力信号の中心周波数）に近づくように、ＶＣＯ回路をフィードバック制御することとした。
【００１１】
具体的には、本開示は、ＰＬＬ回路への入力信号の周波数を計測する入力周波数計測部と、前記ＰＬＬ回路への入力信号が入力されているときに、ＶＣＯ回路の実際のフリーラン周波数が、前記ＰＬＬ回路への入力信号の周波数に近づくように、前記ＶＣＯ回路の所定のフリーラン周波数と、前記ＰＬＬ回路への入力信号の周波数と、の間の差分に基づいて、前記ＶＣＯ回路をフィードフォーワード制御する入力周波数追従部と、を備えることを特徴とするＶＣＯ制御回路である。
【００１２】
また、本開示は、以上に記載のＶＣＯ制御回路と、前記ＰＬＬ回路と、を備えることを特徴とするＰＬＬシステムである。
【００１３】
また、本開示は、ＰＬＬ回路への入力信号の周波数を計測する入力周波数計測ステップと、前記ＰＬＬ回路への入力信号が入力されているときに、ＶＣＯ回路の実際のフリーラン周波数が、前記ＰＬＬ回路への入力信号の周波数に近づくように、前記ＶＣＯ回路の所定のフリーラン周波数と、前記ＰＬＬ回路への入力信号の周波数と、の間の差分に基づいて、前記ＶＣＯ回路をフィードフォーワード制御する入力周波数追従ステップと、を順にコンピュータに実行させるためのＶＣＯ制御プログラムである。
【００１４】
これらの構成によれば、ＰＬＬ回路への入力信号の周波数の偏差に関わらず、ＰＬＬ回路の同期引き込み時間を短くし、ＰＬＬ回路の同期引き込み範囲に含めることができる。
【００１５】
また、本開示は、前記ＶＣＯ回路の実際のフリーラン周波数を計測するフリーラン周波数計測部と、前記ＰＬＬ回路への入力信号が入力されていないときに、前記ＶＣＯ回路の実際のフリーラン周波数が、前記ＶＣＯ回路の所定のフリーラン周波数に近づくように、前記ＶＣＯ回路の実際のフリーラン周波数と、前記ＶＣＯ回路の所定のフリーラン周波数と、の間の差分に基づいて、前記ＶＣＯ回路をフィードバック制御するフリーラン周波数補正部と、をさらに備えることを特徴とするＶＣＯ制御回路である。
【００１６】
この構成によれば、ＶＣＯ回路のフリーラン周波数の温度変化又は経時変化に関わらず、ＰＬＬ回路の同期引き込み範囲を狭くしないことができる。
【００１７】
また、本開示は、まず、前記フリーラン周波数補正部が、前記ＶＣＯ回路をフィードバック制御し、次に、前記入力周波数追従部が、前記ＶＣＯ回路をフィードフォーワード制御し、次に、前記ＰＬＬ回路において、前記ＶＣＯ回路をフィードバック制御することを特徴とするＶＣＯ制御回路である。
【００１８】
この構成によれば、ＶＣＯ回路のフリーラン周波数補正・フィードバック制御を前提に、ＶＣＯ回路の入力周波数追従・フィードフォーワード制御を実行することができる。
【発明の効果】
【００１９】
このように、本開示は、ＶＣＯ回路のフリーラン周波数の温度変化又は経時変化に関わらず、ＰＬＬ回路への入力信号の周波数の偏差に関わらず、ＰＬＬ回路の同期引き込み範囲を狭くしないとともに、ＰＬＬ回路の同期引き込み時間を短くすることができる。
【図面の簡単な説明】
【００２０】
【図１】従来技術のＰＬＬシステムの解決課題を示す図である。
【図２】本開示のＰＬＬシステムの解決手段を示す図である。
【図３】本開示のＰＬＬシステムの構成を示す図である。
【図４】本開示のＰＬＬシステムの処理を示す図である。
【図５】本開示のフリーラン周波数補正の処理を示す図である。
【図６】本開示の入力周波数追従の処理を示す図である。
【発明を実施するための形態】
【００２１】
添付の図面を参照して本開示の実施形態を説明する。以下に説明する実施形態は本開示の実施の例であり、本開示は以下の実施形態に制限されるものではない。
【００２２】
本開示のＰＬＬシステムの解決手段を図２に示す。ＰＬＬ回路への入力信号の周波数範囲は、ＰＬＬ回路への入力信号の中心周波数の周りに、ｆＩＮ１以上ｆＩＮ２以下とする。
【００２３】
図２の上段において、ＶＣＯ回路の制御電圧−出力周波数の特性直線が温度変化又は経時変化した後には、ＶＣＯ回路のフリーラン周波数ｆＦＲ’は、ＰＬＬ回路への入力信号の中心周波数から外れている。そして、ＰＬＬ回路の同期引き込み範囲は、ＰＬＬ回路内の位相比較部に応じて制限されており、ＶＣＯ回路のフリーラン周波数ｆＦＲ’の周りに、ｆＰＩ１’以上ｆＰＩ２’以下とする。ここで、ｆＰＩ１’はｆＩＮ１より小さく、ｆＰＩ２’はｆＩＮ１より大きくｆＩＮ２より小さい。よって、ＰＬＬ回路の同期引き込み範囲は、ＰＬＬ回路への入力信号の周波数範囲ｆＰＩ２’以上ｆＩＮ２以下を含まなくなり、ＶＣＯ回路のフリーラン周波数ｆＦＲ’によっては、ＰＬＬ回路への入力信号の中心周波数を含まなくなる。
【００２４】
図２の中段において、ＶＣＯ回路のフリーラン周波数ｆＦＲ’が補正された後には、ＶＣＯ回路のフリーラン周波数ｆＦＲは、ＰＬＬ回路への入力信号の中心周波数に補正されている。そして、ＰＬＬ回路の同期引き込み範囲は、ＰＬＬ回路内の位相比較部に応じて制限されており、ＶＣＯ回路のフリーラン周波数ｆＦＲの周りに、ｆＰＩ１以上ｆＰＩ２以下とする。ここで、ｆＰＩ１はｆＩＮ１より小さく、ｆＰＩ２はｆＩＮ２より大きい。よって、ＰＬＬ回路の同期引き込み範囲は、ＰＬＬ回路への入力信号の周波数範囲ｆＩＮ１以上ｆＩＮ２以下を含む。
【００２５】
図２の下段において、ＰＬＬ回路への入力信号が入力されるときに、ＰＬＬ回路への入力信号の周波数ｆＩＮは、ＰＬＬ回路への入力信号の中心周波数から外れている。しかし、ＶＣＯ回路のフリーラン周波数ｆＦＲ”は、ＰＬＬ回路への入力信号の周波数ｆＩＮに追従されている。すると、ＰＬＬ回路の同期引き込み時間は、ＶＣＯ特性変化後には、ＶＣＯ特性変化前より、ＰＬＬ回路への入力信号の周波数ｆＩＮによらず、短くなる。
【００２６】
本開示のＰＬＬシステムの構成を図３に示す。ＰＬＬシステムＰは、ＰＬＬ回路１、ＶＣＯ制御回路２及び同期アラーム生成部３から構成される。ＰＬＬ回路１は、位相比較部１１、ループフィルタ１２、加算部１３及びＶＣＯ回路１４から構成される。ＶＣＯ制御回路２は、フリーラン周波数計測部２１、フリーラン周波数補正部２２、入力周波数計測部２３、入力周波数追従部２４及び加算部２５から構成される。
【００２７】
ＰＬＬシステムＰは、ＰＬＬ回路１を備えるシステム（例えば、同期検波型復調回路等。）に適用することができる。ＶＣＯ制御回路２は、図５及び図６に示すＶＣＯ制御プログラムをコンピュータにインストールすることにより実現することができ、又はプログラマブルロジック等を使用することにより実現することもできる。
【００２８】
本開示のＰＬＬシステムの処理を図４に示す。ＰＬＬシステムＰの電源が投入されているときには（ステップＳ１においてＹＥＳ）、ステップＳ２〜Ｓ７の処理が実行される。ＰＬＬシステムＰの電源が投入されていないときには（ステップＳ１においてＮＯ）、ステップＳ２〜Ｓ７の処理は実行されない。なお、ステップＳ１に加えて、ＰＬＬシステムＰが生産されている段階において、ＶＣＯ回路１４のフリーラン周波数ｆＦＲが初期設定されているときには、ステップＳ２〜Ｓ７の処理が実行されないようにしてもよい。
【００２９】
そして、図２の下段に示したように、ＶＣＯ回路１４の実際のフリーラン周波数ｆＦＲ”が、ＰＬＬ回路１への入力信号の周波数ｆＩＮに短時間で近づくように、ＶＣＯ回路１４をフィードフォーワード制御する（ステップＳ３）。ここで、図２の中段に示したように、ＶＣＯ回路１４の実際のフリーラン周波数ｆＦＲ’が、ＶＣＯ回路１４の所定のフリーラン周波数ｆＦＲ（ＰＬＬ回路１への入力信号の中心周波数）と等しいと仮定する。
【００３０】
よって、図２の中段に示したように、ＶＣＯ回路１４の実際のフリーラン周波数ｆＦＲ’が、ＶＣＯ回路１４の所定のフリーラン周波数ｆＦＲ（ＰＬＬ回路１への入力信号の中心周波数）と等しい必要がある。そこで、ＶＣＯ回路１４の実際のフリーラン周波数ｆＦＲ’が、ＶＣＯ回路１４の所定のフリーラン周波数ｆＦＲ（ＰＬＬ回路１への入力信号の中心周波数）に近づくように、ＶＣＯ回路１４をフィードバック制御する（ステップＳ２）。
【００３１】
そして、ＰＬＬ回路１において、位相比較部１１、ループフィルタ１２及び加算部１３を用いて、ＶＣＯ回路１４を通常通りフィードバック制御する（ステップＳ４）。なお、ステップＳ２及びステップＳ３については、図５及び図６を用いて詳述する。
【００３２】
同期アラーム生成部３が同期アラームを生成しているときには（ステップＳ５においてＹＥＳ）、ステップＳ２の処理に戻る。同期アラーム生成部３が同期アラームを生成していないときには（ステップＳ５においてＮＯ）、ステップＳ６の処理に進む。なお、同期アラーム生成部３は、以下の（１）又は（２）の事実等を用いて、同期アラームを生成すればよい。（１）ＰＬＬ回路１への入力信号にＰＮパターン等のスクランブルがかかっているときに、同期が確立していれば、ＩＱ積信号の最高周波数がデータ伝送レートの１／４程度となるが、同期が確立していなければ、ＩＱ積信号の最高周波数がデータ伝送レートの１／２以上となる。（２）ＰＬＬ回路１への入力信号にＰＮパターン等のスクランブルがかかっているときに、同期が確立していれば、マーク又はスペースの割合が１／２程度となるが、同期が確立していなければ、マーク又はスペースの割合が１／２から大きく外れる。
【００３３】
ＰＬＬシステムＰがリセットされているときには（ステップＳ６においてＹＥＳ）、ステップＳ２の処理に戻る。ＰＬＬシステムＰがリセットされていないときには（ステップＳ６においてＮＯ）、ステップＳ７の処理に進む。なお、ステップＳ４の処理が実行されているときでも、所定の時間間隔でステップＳ４の処理を中断したうえで、ステップＳ２、Ｓ３の処理に戻るようにしてもよい。
【００３４】
ＰＬＬシステムＰの電源が遮断されているときには（ステップＳ７においてＹＥＳ）、図４の処理が終了される。ＰＬＬシステムＰの電源が遮断されていないときには（ステップＳ７においてＮＯ）、ステップＳ４〜Ｓ７の処理が繰り返される。
【００３５】
本開示のフリーラン周波数補正の処理を図５に示す。ＰＬＬ回路１は、ＰＬＬ回路１への入力信号を遮断する（ステップＳ２１）。フリーラン周波数計測部２１は、ＶＣＯ回路１４の実際のフリーラン周波数ｆＦＲ’を計測する（ステップＳ２２）。
【００３６】
フリーラン周波数補正部２２は、ＶＣＯ回路１４の実際のフリーラン周波数ｆＦＲ’と、ＶＣＯ回路１４の所定のフリーラン周波数ｆＦＲ（ＰＬＬ回路１への入力信号の中心周波数）と、の間の差分周波数ｆＦＲ−ｆＦＲ’を算出する（ステップＳ２３）。
【００３７】
フリーラン周波数補正部２２は、ＶＣＯ回路１４の実際のフリーラン周波数ｆＦＲ’が、ＶＣＯ回路１４の所定のフリーラン周波数ｆＦＲ（ＰＬＬ回路１への入力信号の中心周波数）に近づくように、差分周波数ｆＦＲ−ｆＦＲ’と、ＶＣＯ回路１４の制御電圧−出力周波数の特性直線の傾きと、に基づいて、ＶＣＯ回路１４の制御電圧ＶＦＲをフィードバック制御する（ステップＳ２４）。なお、ＶＣＯ回路１４の制御電圧−出力周波数の特性直線について、ゼロ点は温度変化又は経時変化が大きい一方で、傾きは温度変化又は経時変化が小さいため、ＰＬＬシステムＰの生産段階での傾きを採用することができる。
【００３８】
加算部１３は、ＶＣＯ回路１４の通常通りのフィードバック制御において（ステップＳ４）、ＶＣＯ回路１４の制御電圧ＶＦＲをループフィルタ１２の出力電圧ＶＬＦに加算する（ステップＳ２５）。なお、加算部２５は、ステップＳ２５のＶＣＯ回路１４の制御電圧ＶＦＲと、ステップＳ３５のＶＣＯ回路１４の制御電圧ＶＩＮと、を加算するものである。
【００３９】
図２の中段に示したように、ＶＣＯ回路１４のフリーラン周波数ｆＦＲ’の温度変化又は経時変化に関わらず、ＰＬＬ回路１の同期引き込み範囲を狭くしないことができる。
【００４０】
本開示の入力周波数追従の処理を図６に示す。ＰＬＬ回路１は、ＰＬＬ回路１への入力信号を入力する（ステップＳ３１）。入力周波数計測部２３は、ＰＬＬ回路１への入力信号の周波数ｆＩＮを計測する（ステップＳ３２）。
【００４１】
ここで、ＰＬＬ回路１への入力信号の周波数ｆＩＮが、ＰＬＬ回路１の入力帯域内（又は、同期検波型復調回路等の受信帯域内。）であれば、ステップＳ３３〜Ｓ３５の処理が実行されるようにしてもよい。一方で、ＰＬＬ回路１への入力信号の周波数ｆＩＮが、ＰＬＬ回路１の入力帯域外（又は、同期検波型復調回路等の受信帯域外。）であれば、ステップＳ３３〜Ｓ３５の処理が実行されないようにしてもよい。
【００４２】
入力周波数追従部２４は、ＶＣＯ回路１４の所定のフリーラン周波数ｆＦＲ（ＰＬＬ回路１への入力信号の中心周波数）と、ＰＬＬ回路１への入力信号の周波数ｆＩＮと、の間の差分周波数ｆＩＮ−ｆＦＲを算出する（ステップＳ３３）。
【００４３】
入力周波数追従部２４は、ＶＣＯ回路１４の実際のフリーラン周波数ｆＦＲ”が、ＰＬＬ回路１への入力信号の周波数ｆＩＮに近づくように、差分周波数ｆＩＮ−ｆＦＲと、ＶＣＯ回路１４の制御電圧−出力周波数の特性直線の傾きと、に基づいて、ＶＣＯ回路１４の制御電圧ＶＩＮをフィードフォーワード制御する（ステップＳ３４）。なお、ＶＣＯ回路１４の制御電圧−出力周波数の特性直線について、ゼロ点は温度変化又は経時変化が大きい一方で、傾きは温度変化又は経時変化が小さいため、ＰＬＬシステムＰの生産段階での傾きを採用することができる。
【００４４】
加算部１３は、ＶＣＯ回路１４の通常通りのフィードバック制御において（ステップＳ４）、ＶＣＯ回路１４の制御電圧ＶＩＮをループフィルタ１２の出力電圧ＶＬＦに加算する（ステップＳ３５）。なお、加算部２５は、ステップＳ２５のＶＣＯ回路１４の制御電圧ＶＦＲと、ステップＳ３５のＶＣＯ回路１４の制御電圧ＶＩＮと、を加算するものである。
【００４５】
図２の下段に示したように、ＰＬＬ回路１への入力信号の周波数ｆＩＮの偏差に関わらず、ＰＬＬ回路１の同期引き込み時間を短くし、ＰＬＬ回路１の同期引き込み範囲に含めることができる。
【産業上の利用可能性】
【００４６】
本開示のＶＣＯ制御回路、ＰＬＬシステム及びＶＣＯ制御プログラムは、ＰＬＬ回路を備えるシステム（例えば、同期検波型復調回路等。）に適用することができる。
【符号の説明】
【００４７】
Ｐ：ＰＬＬシステム
１：ＰＬＬ回路
２：ＶＣＯ制御回路
３：同期アラーム生成部
１１：位相比較部
１２：ループフィルタ
１３：加算部
１４：ＶＣＯ回路
２１：フリーラン周波数計測部
２２：フリーラン周波数補正部
２３：入力周波数計測部
２４：入力周波数追従部
２５：加算部
【図１】
2020053736.tif 000003
【図２】
2020053736.tif 000004
【図３】
2020053736.tif 000005
【図４】
2020053736.tif 000006
【図５】
2020053736.tif 000007
【図６】
2020053736.tif 000008